(57)【要約】【課題】液体を均一に混合することが可能な液体混合装置を提供すること。【解決手段】第１液体と第２液体との混合比を調整する混合弁体６と、第１液体が混合弁体６へと流れる第１液体流入路２と、第２液体が混合弁体６へと流れる第２液体流入路３と、を備え、第１液体流入路２と第２液体流入路３とを、混合弁体６を介して並列に配設しているので、混合弁体６での液体の混合形態が渦流となり、第１液体と第２液体とが攪拌されて、特に、液体の流量が少ない場合でも、液体を均一に混合することができる。【選択図】図１
2014238145.tif 000002
【特許請求の範囲】
【請求項１】
第１液体と第２液体との混合比を調整する混合弁体と、
前記第１液体が前記混合弁体へと流れる第１液体流入路と、
前記第２液体が前記混合弁体へと流れる第２液体流入路と、を備え、
前記第１液体流入路と前記第２液体流入路とを、前記混合弁体を介して並列に配設したことを特徴とする液体混合装置。
【請求項２】
前記混合弁体は、前記第１液体流入路および前記第２液体流入路に突出していることを特徴とする請求項１に記載の液体混合装置。
【請求項３】
請求項１または２に記載の複数の前記混合装置と、
複数の前記混合装置が接続され、複数の前記第１液体流入路へと前記第１液体を分流する第１液体分岐部と複数の前記第２液体流入路へと前記第２液体を分流する第２液体分岐部とを有する接続体と、を備え、
前記第１液体分岐部と複数の前記混合弁体との間の距離が略同一であり、
前記第２液体分岐部と複数の前記混合弁体との間の距離が略同一であることを特徴とする液体混合装置の複合体。
【請求項４】
請求項１または２に記載の前記液体混合装置および／または請求項３に記載の前記液体混合装置の複合体と、
湯水を貯留する貯湯タンクと、
前記貯湯タンクに貯留された湯水を加熱する熱源ユニットと、を備えた貯湯式給湯機。
【発明の詳細な説明】
【技術分野】
【０００１】
本発明は、液体混合装置およびそれを備えた貯湯式給湯機に関するものである。
【背景技術】
【０００２】
図４は、従来の貯湯式給湯機の構成を示す構成図である（例えば、特許文献１参照）。図４に示すように、従来、この種の貯湯式給湯機は、ヒートポンプユニット等の熱源ユニット１１０と貯湯ユニット１００から構成され、貯湯ユニット１００内部には、貯湯タンク１０１と貯湯タンク１０１へ水を供給する給水管１０２と、貯湯タンク１０１の下部から熱源ユニット１１０へ水を送水する循環ポンプ１０４と、熱源ユニット１１０で加熱された高温水を貯湯タンク１０１の上部へ供給する循環水路１０５を備えている。
【０００３】
そして、給湯回路は、貯湯タンク１０１上部から高温水を取出す出湯管１０７と、貯湯タンク１０１からの高温水と給水管１０２からの水を所定の温度に混合する混合弁体が内蔵され、所定の温度の湯水を蛇口などの給湯端末１０３へ供給する給湯用の第１液体混合装置１０８を備えている。また、風呂回路は、貯湯タンク１０１からの高温水と給水管１０２からの水を所定の温度に混合する混合弁体が内蔵され、所定の温度の湯水を浴槽１０６へ供給する風呂用の第２液体混合装置１０９を備えている。
【０００４】
また、従来の液体混合装置としては、混合弁体を介して湯流入路と水流入路とが対向するように配置されているものがある（例えば、特許文献２参照）。
【先行技術文献】
【特許文献】
【０００５】
【特許文献１】特開２００７−１３９３４５号公報
【特許文献２】特開２０１２−７６４６号公報
【発明の概要】
【発明が解決しようとする課題】
【０００６】
しかしながら、前記従来の構成では、混合弁体を介して、湯流入路と水流入路が対向するように配置されているため、特に、給湯端末に供給する給湯流量が少ない場合には、湯水が混合されにくく、給湯温度が不安定になるという課題を有していた。
【０００７】
本発明は、前記従来の課題を解決するもので、混合された流体の温度を均一にすることが可能な液体混合装置およびそれを備えた貯湯式給湯機を提供することを目的とする。
【課題を解決するための手段】
【０００８】
前記従来の課題を解決するために、本発明の液体混合装置は、第１液体と第２液体との混合比を調整する混合弁体と、前記第１液体が前記混合弁体へと流れる第１液体流入路と、前記第２液体が前記混合弁体へと流れる第２液体流入路と、を備え、前記第１液体流入路と前記第２液体流入路とを、前記混合弁体を介して並列に配設したことを特徴とする。
【０００９】
これにより、混合弁体での液体の混合形態が渦流となるので、特に液体の流量が少ない場合でも第１液体と第２液体とが攪拌されて、液体を均一に混合することができる。
【発明の効果】
【００１０】
本発明によれば、液体を均一に混合することが可能な液体混合装置を提供することがで
きる。
【図面の簡単な説明】
【００１１】
【図１】（ａ）本発明の実施の形態１における液体混合装置の斜視図（ｂ）同液体混合装置の２つの流入路に平行面での断面図（ｃ）同液体混合装置の２つの流入路に垂直かつ出口流路に平行な面での断面図
【図２】（ａ）同液体混合装置の複合体の斜視図（ｂ）図２（ａ）のＡ−Ａ断面図
【図３】同液体混合装置を備えた貯湯式給湯機の概略構成図
【図４】従来の貯湯式給湯機の概略構成図
【発明を実施するための形態】
【００１２】
第１の発明は、第１液体と第２液体との混合比を調整する混合弁体と、前記第１液体が前記混合弁体へと流れる第１液体流入路と、前記第２液体が前記混合弁体へと流れる第２液体流入路と、を備え、前記第１液体流入路と前記第２液体流入路とを、前記混合弁体を介して並列に配設したことを特徴とする液体混合装置である。
【００１３】
これにより、混合弁体での第１液体と第２液体の混合形態が渦流となり、攪拌作用が向上し、特に液体の流量が少ない場合でも混合された液体の温度が安定する。
【００１４】
第２の発明は、特に第１の発明において、前記混合弁体は、前記第１液体流入路および前記第２液体流入路に突出していることを特徴とするものである。
【００１５】
これにより、第１流入路と第２流入路とが近接して配置されることとなるので、液体混合装置を小型化することができる。
【００１６】
第３の発明は、第１の発明または第２の発明の複数の前記液体混合装置と、複数の前記混合装置が接続され、複数の前記第１液体流入路へと前記第１液体を分流する第１液体分岐部と複数の前記第２液体流入路へと前記第２液体を分流する第２液体分岐部とを有する接続体と、を備え、前記第１液体分岐部と複数の前記混合弁体との間の距離が略同一であり、前記第２液体分岐部と複数の前記混合弁体との間の距離が略同一であることを特徴とする液体混合装置の複合体である。
【００１７】
これにより、第１液体分岐部および第２液体分岐部が複数の混合弁体の略中間に配置されるので、各々の液体混合装置において、同時に液体の混合が行われる場合、各液体混合装置に向かう液体の流れの圧力損失を均等にすることができ、複数の液体混合装置における液体の混合を均一化することができる。
【００１８】
第４の発明は、第１または第２に記載の前記液体混合装置および／または前記第３の発明の液体混合装置の複合体と、湯水を貯留する貯湯タンクと、前記貯湯タンクに貯留された湯水を加熱する熱源ユニットと、を備えた貯湯式給湯装置である。
【００１９】
これにより、貯湯タンクに貯留された高温水と給水源から供給される低温水とを均一に混合することができ、また、貯湯タンクに貯留された高温水と、貯湯タンクに貯留された中温水とを均一に混合することができる。特に、給湯端末に供給される湯水の給湯流量が少ない場合でも、湯水の温度（給湯温度）を安定させることができ、安全性、快適性に優れた貯湯式給湯装置を提供することができる。
【００２０】
以下、本発明の実施の形態について、図面を参照しながら説明する。なお、この実施の形態によって本発明が限定されるものではない。
【００２１】
（実施の形態１）
図１（ａ）は、本発明の実施の形態１における液体混合装置の斜視図、図１（ｂ）は、同液体混合装置の２つの流入路に平行な面での断面図、図１（ｃ）は、同液体混合装置の２つの流入路に垂直かつ混合液体出口流路に平行な面での断面図である。本実施の形態では、液体混合装置が、貯湯式給湯装置に配置された場合について説明する。
【００２２】
図１（ａ）〜（ｃ）に示すように、液体混合装置１は、高温水（第１流体）と低温水（第２流体）とを混合し所定の温度の湯水を生成するための混合弁体６と、混合弁体６に高温水を供給する湯流入路（第１流入路）２と、混合弁体６に低温水を供給する水流入路（第２流入路）３と、混合弁体６を駆動する駆動装置５と、混合された流体が流出する混合水出口流路（混合液体出口流路）４とを備えている。
【００２３】
図１（ｂ）に示すように、混合弁体６は、円筒状に形成され、その側面には湯流入路２と水流入路３とに開口する開口部を有している。混合弁体６は、ステッピングモータおよび伝達機構（ギア）などで構成される駆動装置５に接続され、駆動装置５により、図１（ｃ）に示すｚ軸を中心として回転する。混合弁体６がｚ軸を中心に回転することにより、湯流入路２と混合弁体６との開口面積、および、水流入路３と混合弁体６との開口面積が変動し、高温水と低温水の混合比が調整される。混合弁体６の開口部から内部に流入して混合された湯水は、円筒状の混合弁体６の内部を、混合水出口流路４へと流れる。
【００２４】
混合弁体６は、図１（ｂ）に示すように、その円筒状の側面の一部が湯流入路２および水流入路３に突出するように配置されている。これにより、湯流入路２と水流入路３との間の距離を短くすることができ、コンパクトな液体混合装置１を実現することが可能となる。また、円筒状の混合弁体６が、各々の流入路に突出していることで、液体が混合弁体の周囲を回り込むように流れるので、渦流の発生を促進させ、高温水と低温水とを均一に混合することができる。
【００２５】
混合弁体６の開口部の開口面積は、混合弁体６の中心（ｚ軸）よりも液体の流れ方向の下流側が常に大きくなるように回転駆動されることが好ましい。これにより、円筒状の液体が混合弁体６の中心よりも下流側から回り込むように流れる。よって、その流れが渦流となり、高温水と低温水とを均一に混合することができる。
【００２６】
湯流入路２と水流入路３は、混合弁体６を挟んで並列に配置されている。また、湯流入路２と水流入路３とは、同一の方向から液体が流れるように配置されている。これにより、液体混合装置１を小型化することができる。
【００２７】
湯流入路２は、液体の流れ方向に対して、少なくとも混合弁体６の中心よりも下流側まで延設されている。同様に、水流入路３は、液体の流れ方向に対して、混合弁体６の中心よりも下流側まで延設されている。これにより、液体が混合弁体６の周囲を回り込むように流れて渦流となり、混合弁体６において高温水と低温水とを均一に混合することができる。
【００２８】
以上のように構成された構成された液体混合装置１について以下その動作、作用を説明する。
【００２９】
湯流入路２を流れる高温水および水流入路３を流れる低温水は、所定の温度を供給するために開口部の開口面積が調整された混合弁体６へと流入する。このとき、高温水および低温水は、それぞれ混合弁体６へと、その流入方向を大きく変えて流入するため、渦流が形成される。
【００３０】
これにより、混合弁体６で合流した高温水と低温水との攪拌作用が向上する。特に、湯流入路２と水流入路３とが、混合弁体６の中心よりも下流側まで延設され、混合弁体６の開口部の開口面積が、混合弁体６の中心よりも下流側が大きくなるように駆動されるので、液体が混合弁体６の周囲を回り込むように流れる。よって、渦流の形成が促進され、高温水と低温水との攪拌作用が向上する。混合弁体６を通過した混合水は、所定の温度となって混合水出口流路４を通り、液体混合装置１から流出する。
【００３１】
以上のように、高温水と低温水とを混合し所定の温度の湯水を生成するための混合弁体６と、混合弁体６に高温水を供給する湯流入路２と、混合弁体６に低温水を供給する水流入路３とを備え、湯流入路２と水流入路３とを混合弁体６を介して並列に配置することで、混合弁体６での湯水の混合形態が渦流となり、攪拌作用が向上し、特に液体の流量が少ない場合でも混合された液体の温度を均一化させることができる。
【００３２】
なお、湯流入路２における液体の流れ方向と、水流入路３における液体の流れ方向とが対向するように、湯流入路２および水流入路３が配置されていても良い。流れ方向を対向させても、各々の流入路を、混合弁体６を介して並列に配置すれば、混合弁体６での混合形態が渦流となり、攪拌作用が向上し、液体の流量が少ない場合でも混合された液体の温度を均一化させることができる。
【００３３】
次に、複数の液体混合装置を一体に構成した、液体混合装置の複合体について説明する。図２（ａ）は、液体混合装置の複合体の斜視図、図２（ｂ）は、図２（ａ）のＡ−Ａ断面図である。本実施の形態では、液体混合装置の複合体が、貯湯式給湯装置に配置された場合について説明する。
【００３４】
図２に示すように、本実施の形態における液体混合装置の複合体７は、第１液体混合装置１ａおよび第２液体混合装置１ｂと、第１液体混合装置１ａおよび第２液体混合装置１ｂが接続され、高温水および低温水を第１液体混合装置１ａおよび第２液体混合装置１ｂへと分流する接続体４０を備えている。
【００３５】
接続体４０は、高温水が流入する高温水供給口（第１液体供給口）８、高温水供給口８から流入する高温水を第１液体混合装置１ａおよび第２液体混合装置１ｂに分流する高温水分岐部（第１液体分岐部）１０、高温水分岐部１０で分流された高温水が流れ、第１液体混合装置１ａの湯流入路２ａと接続される第１湯流路１６、高温水分岐部１０で分流された高温水が流れ、第２液体混合装置１ｂの湯流入路２ｂと接続される第２湯流路１９、を備えている。第１湯流路１６および第２湯流路１９の流路断面積は、高温水分岐部１０の流路断面積よりも大きくなるように形成されている。
【００３６】
また、接続体４０は、低温水が流入する低温水供給口（第２液体供給口）９、低温水供給口９から流入する低温水を第１液体混合装置１ａおよび第２液体混合装置１ｂに分流する低温水分岐部（第２液体分岐部）１１、低温水分岐部１１で分流された低温水が流れ、第１液体混合装置１ａの水流入路３ａと接続される第１水流路１７、低温水分岐部１１で分流された低温水が流れ、第２液体混合装置１ｂの水流入路３ｂと接続される第２水流路２０、を備えている。第１水流路１７および第２水流路２０の流路断面積は、低温水分岐部１１の流路断面積よりも大きくなるように形成されている。
【００３７】
第１液体混合装置１ａは、供給された高温水と低温水とを所定の温度に混合させる混合弁体６ａ、混合弁体６ａを駆動させる駆動装置５ａ、接続体４０から流入した高温水が混合弁体６ａに向かって流れる湯流入路２ａ、接続体４０から流入した低温水が混合弁体６ａに向かって流れる水流入路３ａ、混合弁体６ａで混合された湯水が流出する混合水出口流路４ａ、を備えている。
【００３８】
湯流入路２ａは、接続体４０の第１湯流路１６と接続されることにより高温水流路（第１液体流路）７１を形成する。なお、湯流入路２ａの流路断面積は、第１湯流路１６の流路断面積よりも大きい。また、水流入路３ａは、接続体４０の第１水流路１７と接続されることにより、低温水流路（第２液体流路）７２を形成する。なお、水流入路３ａの流路断面積は、第１水流路１７の流路断面積よりも大きい。
【００３９】
第２液体混合装置１ｂは、供給された高温水と低温水とを所定の温度に混合させる混合弁体６ｂ、混合弁体６ｂを駆動させる駆動装置５ｂ、接続体４０から流入した高温水が混合弁体６ｂに向かって流れる湯流入路２ｂ、接続体４０から流入した低温水が混合弁体６ｂに向かって流れる水流入路３ｂ、混合弁体６ｂで混合された湯水を流出する混合水出口流路４ｂ、を備えている。
【００４０】
湯流入路２ｂは、接続体４０の第２湯流路１９と接続されることにより高温水流路（第１液体流路）８１を形成する。なお、湯流入路２ｂの流路断面積は、第２湯流路１９の流路断面積よりも大きい。また、水流入路３ｂは、接続体４０の第２水流路２０と接続されることにより、低温水流路（第２液体流路）８２を形成する。なお、水流入路３ｂの流路断面積は、第２水流路２０の流路断面積よりも大きい。
【００４１】
以上から、高温水が流れる流路の断面積は、高温水分岐部１０から混合弁体６ａおよび混合弁体６ｂに向かって、次第に大きくなる。また、低温水が流れる流路の断面積は、低温水分岐部１１から混合弁体６ａおよび混合弁体６ｂに向かって、次第に大きくなる。
【００４２】
ここで、液体混合装置の複合体７において、高温水分岐部１０の中心と混合弁体６ａの中心との間の距離をＬｈ１、高温水分岐部１０の中心と混合弁体６ｂの中心との間の距離をＬｈ２とすると、Ｌｈ１とＬｈ２とは、略同一となるように形成されている。また、低温水分岐部１１の中心と混合弁体６ａの中心との間の距離をＬｂ１とし、低温水分岐部１１の中心と混合弁体６ｂの中心との間の距離をＬｂ２とすると、Ｌｂ１とＬｂ２とは略同一となるように形成されている。さらに、液体混合装置の複合体７は、距離Ｌｈ１、距離Ｌｈ２、距離Ｌｂ１、距離Ｌｂ２が略同一となるように形成されている。これにより、液体混合装置の複合体７において、各々の分岐部から各々の混合弁体に向かって流れる湯水の圧力損失が均等になり、各々の液体混合装置で混合される湯水の温度の安定化を図ることができる。
【００４３】
また、液体混合装置の複合体７において、第１液体混合装置１ａ側に形成される高温水流路７１と低温水流路７２とは、混合弁体６ａを挟んで並列に配置されている。さらに、混合弁体６ａは、その一部が、高温水流路７１および低温水流路７２に突出するように配置されている。
【００４４】
また、液体混合装置の複合体７において、第２液体混合装置１ｂ側に形成される高温水流路８１と低温水流路８２とは、混合弁体６ｂを挟んで並列に配置されている。さらに、混合弁体６ｂは、その一部が、高温水流路８１および低温水流路８２に突出するように配置されている。
【００４５】
以上のように構成された液体混合装置の複合体７について以下、その動作、作用を説明する。
【００４６】
まず、第１液体混合装置１ａの動作を説明する。液体混合装置の複合体７に高温水供給口８を介して供給された高温水は、高温水分岐部１０にて分流され、高温水流路７１へ供給される。また、液体混合装置の複合体７に低温水供給口９を介して供給された低温水は
、低温水分岐部１１にて分流され、低温水流路７２へ供給される。
【００４７】
第１液体混合装置１ａに流入した高温水と低温水とは、所定の温度の湯水を生成するために、開口部の開口面積が調整された混合弁体６ａに流入して混合される。混合された湯水は、混合水出口流路４ａを通り、第１液体混合装置１ａから流出する。
【００４８】
次に、第２液体混合装置１ｂの動作を説明する。液体混合装置の複合体７に高温水供給口８を介して供給された高温水は、高温水分岐部１０にて分流され、高温水流路８１へ供給される。また、液体混合装置の複合体７に低温水供給口９を介して供給された低温水は、低温水分岐部１１にて分岐され低温水流路８２へ供給される。
【００４９】
第２液体混合装置１ｂに流入した高温水と低温水とは、所定の温度の湯水を生成するために、開口部の開口面積が調整された混合弁体６ｂに流入して混合される。混合された湯水は、混合水出口流路４ｂを通り、第２液体混合装置１ｂから流出する。
【００５０】
ここで、液体混合装置の複合体７は、距離Ｌｈ１、距離Ｌｈ２、距離Ｌｌ１、距離Ｌｌ２の距離が略同一となるように形成されている。これにより、液体混合装置の複合体７を、各々の分岐部から各々の混合弁体に向かって流れる湯水の圧力損失を均等にすることができるので、各々の液体混合装置において、湯水の混合が同時に行われても、各々の液体混合装置で混合される湯水の温度の安定化を図ることができる。
【００５１】
さらに、第１液体混合装置１ａにおいて、高温水流路７１と低温水流路７２とが混合弁体６ａを介して並列に配置され、混合弁体６ａが高温水流路７１と低温水流路７２とに突出していることにより、混合弁体６ａでの湯水の混合形態が渦流となって攪拌作用が向上する。よって、液体の流量が少ない場合でも混合された湯水の温度を安定させることができる。これは第２液体混合装置においても同様である。
【００５２】
また、第１液体混合装置１ａおよび第２液体混合装置１ｂが、高温水供給口８、低温水供給口９、高温水分岐部１０、低温水分岐部１１を共用することにより、第１液体混合装置１ａおよび第２液体混合装置１ｂを、接続体４０を介して一体に構成することができる。さらに、混合弁体６ａを高温水流路７１と低温水流路７２とに突出させ、混合弁体６ｂを高温水流路８１と低温水流路８２とに突出させることで、液体混合装置の複合体７を小型化、低コスト化することができる。
【００５３】
なお、本実施の形態の液体混合装置の複合体７は、混合水出口流路４ａと混合水出口流路４ｂとを、高温水流路および低温水流路を挟んで異なる側に形成しているが、混合水出口流路４ａと混合水出口流路４ｂとを同一の方向へ配置してもよい。
【００５４】
また、本実施の形態では、高温水分岐部１０および低温水分岐部１１による分流方向を２方向としているが、それ以上の方向に向けて分流してもよい。
【００５５】
また、本実施の形態の高温水分岐部１０に対する高温水供給口８および低温水分岐部１１に対する低温水供給口９の向きは自在に変更することが可能であり、その場合においても、本実施形態と同様の効果を得ることができる。
【００５６】
次に、液体混合装置１および、液体混合装置の複合体７を備えた貯湯式給湯機について説明する。
【００５７】
図３は、本発明の実施の形態における液体混合装置の複合体７を備えた貯湯式給湯機の構成図である。
【００５８】
図３に示すように、本実施の形態における貯湯式給湯機は、ヒートポンプユニット等の熱源ユニット３０と貯湯ユニット３１とを備えている。
【００５９】
貯湯ユニット３１の内部には、貯湯タンク３２と貯湯タンク３２へ水を供給する給水管３３と、貯湯タンク３２の下部から熱源ユニット３０へ水を送水する循環ポンプ３４とが配置されている。貯湯タンク３２の下部、循環ポンプ３４、熱源ユニット３０、貯湯タンク３２の上部が配管で環状に接続され循環水路３５が形成される。
【００６０】
貯湯タンク３２の上部には、貯湯タンク３２に貯留された高温水が流出する出湯管３６が接続され、出湯管３６の他端は、第１液体混合装置１ａと第２液体混合装置１ｂとを備える液体混合装置の複合体７の高温水供給口８に接続される。また、液体混合装置の複合体７の低温水供給口９には、給水管３３から分岐した給水バイパス管３３ａが接続される。
【００６１】
第１液体混合装置１ａの混合水出口流路４ａには、カラン５０やシャワーヘッドなどの給湯端末に接続される給湯管５１が接続される。出湯管３６、給水バイパス管３３ａ、液体混合装置の複合体７、給湯管５１によって給湯回路が形成される。
【００６２】
第２液体混合装置１ｂの混合水出口流路４ｂには、浴槽６０に湯水を供給する風呂注湯管６１が接続される。風呂注湯管６１には、風呂注湯管６１を開閉可能に構成する風呂注湯弁６１ａが配置される。出湯管３６、給水バイパス管３３ａ、液体混合装置の複合体７、風呂注湯管６１によって風呂回路が形成される。
【００６３】
これにより、給湯端末に供給する湯水の流量が少ない場合でも、第１液体混合装置１ａによって湯水の撹拌作用が向上し、給湯温度の安定化を図ることができる。
【００６４】
また、給湯端末および浴槽に対して同時に湯水を供給する場合でも、液体混合装置の複合体７により、第１液体混合装置１ａと第２液体混合装置１ｂとに供給される高温水、低温水の流れの圧力損失を均等にすることができ、混合弁体６ａ、混合弁体６ｂにおいて混合される湯水の温度を安定化させることができる。
【００６５】
なお、本実施の形態における貯湯式給湯機は、液体混合装置の複合体７を備えた構成としている。ここで、貯湯タンク３２と出湯管３６との接続箇所よりも鉛直下方の貯湯タンク３２から、貯湯タンク３２の内部に貯留された中温水を流出させる中温出湯管（図示せず）を備えていてもよい。中温出湯管を備える場合には、さらに液体混合装置１を設ける。ここで、中温水とは、出湯管３６から流出する高温水よりも温度が低く、給水管３３から貯湯タンク３２の下部に供給される低温水よりも温度が高い湯水である。このとき、中温出湯管は、一端が貯湯タンク３２に接続され、他端が液体混合装置１を介して出湯管３６に接続される。この場合、一端が貯湯タンク３２に接続された出湯管３６の他端を湯流入路２に接続し、中温出湯管の他端を水流入路３に接続すればよい。さらに、混合水出口流路４に、一端が液体混合装置の複合体７に接続された出湯管３６の他端を接続すればよい。
【産業上の利用可能性】
【００６６】
以上のように、本発明に係る液体混合装置は、液体を均一に混合することができ、異なる温度の液体を混合させた場合には、混合された液体の温度を均一にすることができるとともに、コンパクト化を実現することができるので、電気温水器やガス、石油給湯機の用途にも適応できる。
【符号の説明】
【００６７】
１、１ａ、１ｂ  液体混合装置
２、２ａ、２ｂ  湯流入路（第１液体流入路）
３、３ａ、３ｂ  水流入路（第２液体流入路）
４、４ａ、４ｂ  混合水出口流路（混合液体出口流路）
５、５ａ、５ｂ  駆動装置
６、６ａ、６ｂ  混合弁体
７  液体混合装置の複合体
８  高温水供給口（第１液体供給口）
９  低温水供給口（第２液体供給口）
１０  高温水分岐部（第１液体分岐部）
１１  低温水分岐部（第２液体分岐部）
１６  第１湯流路
１７  第１水流路
１９  第２湯流路
２０  第２水流路
３０  熱源ユニット
３１  貯湯ユニット
３２  貯湯タンク
３３  給水管
３３ａ  給水バイパス管
３４  循環ポンプ
３５  循環水路
３６  出湯管
４０  接続体
５０  カラン（給湯端末）
５１  給湯管
６０  浴槽（給湯端末）
６１  風呂注湯管
６１ａ  風呂注湯弁
７１、８１  第１液体流路（高温水流路）
７２、８２  第２液体流路（低温水流路）
【図１】
2014238145.tif 000003
【図２】
2014238145.tif 000004
【図３】
2014238145.tif 000005
【図４】
2014238145.tif 000006